(57)【特許請求の範囲】
【請求項１】
患者の透析液、血液、血漿又は限外濾過液から毒物を除去するための装置であって、当該装置は、
ｉ）筐体であって、前記透析液、血液、血漿又は限外濾過液を該筐体内に導入するための入口と、浄化された透析液、血液、血漿又は限外濾過液及び過剰液を前記筐体から除去するための出口と、前記入口を前記出口に接続する導管とを有する、筐体と、
ｉｉ）毒素、毒性溶質、毒性の小型分子及び毒性の中型分子並びにタンパク質結合毒素を前記透析液、血液、血漿又は限外濾過液から除去するための電極触媒分解フィルターであって、該電極触媒分解フィルターは、前記透析液、血液、血漿又は限外濾過液が前記入口から前記出口に流れる際に前記電極触媒分解フィルターを必ず通過するように前記導管内に含まれ、前記電極触媒分解フィルターは、
ａ）電気酸化により毒素を分解及び気化するための電極触媒面を有する一組の電極又はｂ）電極触媒材料でコーティングされている多孔質材料と直接接触する一組の電極と、
ｃ）前記電極触媒面又は前記電極触媒材料を活性化するために前記電極に電荷を与える電源と、
ｄ）毒素の再吸収及び放出を考慮して前記電極上の電荷を制御及び切り替るとともに前記電極上に堆積物が蓄積するのを防止する電子手段と、
を含む、電極触媒分解フィルターと、
ｉｉｉ）前記透析液、血液、血漿又は限外濾過液から毒素、毒性溶質、毒性の小型分子及び毒性の中型分子並びにタンパク質結合毒素を除去するための電気収着フィルターであって、該電気収着フィルターは、前記透析液、血液、血漿又は限外濾過液が前記入口から前記出口に流れる際に前記電気収着フィルターを必ず通過するように前記導管内に含まれ、前記電気収着フィルターは、
ａ）ナノ構造化収着材料と、
ｂ）前記ナノ構造化収着材料でコーティングされているか又は電気的に接触する一組の電極と、
ｃ）前記電極に電荷を与えるとともに前記ナノ構造化収着材料に電場強度を生成する電源と、
ｄ）浄化された液の品質をモニタリングするためのセンサーユニット及び浄化された液の品質を補正及び調整する制御システムと、
を含む、電気収着フィルターと、
を含み、
前記センサーユニットは前記浄化された液のレドックス状態をモニタリングするように構成され、前記制御システムは酸化ストレスを防止するために電極触媒分解の強度及び還元剤の注入を制御するように構成され、前記電極触媒分解フィルターの電極は炭素質材料でできており、
前記毒性の小型分子は分子量が５００Ｄａ未満の分子であり、前記毒性の中型分子は分子量が５００Ｄａ〜５０００Ｄａの分子である、装置。
【請求項２】
前記電気収着フィルター及び電極触媒分解フィルターは１つのフィルター区画内に統合されて電極触媒分解電気収着フィルターを形成し、前記ナノ構造化収着材料が前記電極触媒分解電気収着フィルターの電極間に含まれる、請求項１に記載の装置。
【請求項３】
前記電極触媒分解電気収着フィルターは、前記ナノ構造化収着材料でコーティングされた前記電極又は前記ナノ構造化収着材料を含む多孔性容器で囲まれた前記電極を含むカートリッジの形で設けられる、請求項２に記載の装置。
【請求項４】
前記電極触媒分解電気収着フィルターは透過性容器と組み合わされて、フィルターパッド内容物を囲む容器を含むフィルターパッドを形成し、前記フィルターパッドの容器は透過性膜を含み、前記フィルターパッドの内容物は前記ナノ構造化収着材料を含む、請求項２又は３に記載の装置。
【請求項５】
前記装置は、患者の血液細胞から血漿を分離するための血漿フィルターをさらに含む、請求項４に記載の装置。
【請求項６】
前記装置は、患者の血液細胞から患者の限外濾過液を分離するための又は透析設定において血液と透析液とで毒素の交換を可能にする血液フィルターをさらに含む、請求項４に記載の装置。
【請求項７】
前記装置は、毒素、前記毒性の小型分子及び前記毒性の中型分子を前記患者の血漿から除去するための追加の電気収着フィルターをさらに含む、請求項１乃至６のいずれか一項に記載の装置。
【請求項８】
前記血漿フィルター及び前記電気収着フィルターは組み合わされて前記フィルターパッドを形成し、前記透過性膜は前記血漿フィルターによって形成される、請求項５に記載の装置。
【請求項９】
前記血液フィルター及び前記電気収着フィルターは組み合わされて前記フィルターパッドを形成し、前記透過性膜は前記血液フィルターによって形成される、請求項６に記載の装置。
【請求項１０】
前記装置は、ビタミン、ミネラル、抗凝固剤、殺菌剤及び他の薬物からなる群から選択される少なくとも１つの物質で前記透析液及び／又は前記血漿を補うための手段を含む、請求項１乃至９のいずれか一項に記載の装置。
【請求項１１】
前記装置はイオン交換システムをさらに含む、請求項１乃至１０のいずれか一項に記載の装置。
【請求項１２】
前記ナノ構造化収着材料は、再生液と前記電極に対する逆電圧モードとの組み合わせを用いて再生され、任意で、毒素、不要な堆積物を反発及び放出させるとともに前記ナノ構造化収着材料を再生するために、前記センサーユニットの測定値に応じて前記電極触媒分解フィルターの電源の電圧が電気的に調整され及び／又は逆の値に反転される、請求項１乃至１１のいずれか一項に記載の装置。
【発明の詳細な説明】
【技術分野】
【０００１】
本発明は、透析液、血液、血漿又は限外濾過液から毒物（toxic  substances）を除去するための装置に関する。当該装置は、
ｉ）筐体であって、透析液、血液、血漿又は限外濾過液を該筐体内に導入するための入口と、浄化された透析液、血液、血漿又は限外濾過液及び過剰液を前記筐体から除去するための出口と、前記入口を前記出口に接続する導管とを有する、筐体と、
ｉｉ）毒素、毒性溶質、毒性の小型及び中型分子並びにタンパク質結合毒素を前記透析液、血液、血漿又は限外濾過液から除去するための電極触媒分解（electrocatalytic  decomposition）フィルターであって、該電極触媒分解フィルターは、前記透析液、血液、血漿又は限外濾過液が前記入口から前記出口に流れる際に前記電極触媒分解フィルターを必ず通過するように前記導管内に含まれ、前記電極触媒分解フィルターは、
ａ）電気酸化により毒素を分解及び気化するための電極触媒面を有する一組の電極、又は
ｂ）電極触媒材料でコーティングされている多孔質材料と直接接触する一組の電極、
ｃ）前記電極触媒面を活性化するために前記電極に電荷を与える電源、
ｄ）毒素の再吸収及び放出を考慮して前記電極上の電荷を制御及び切り替るとともに前記電極上に堆積物が蓄積するのを防止する電子手段、
を含む、電極触媒分解フィルターと、
ｉｉｉ）前記透析液、血液、血漿又は限外濾過液から毒素、毒性溶質、毒性の小型及び中型分子並びにタンパク質結合毒素を除去するための電気収着フィルターであって、該電気収着フィルターは、前記透析液、血液、血漿又は限外濾過液が前記入口から前記出口に流れる際に前記電気収着フィルターを必ず通過するように前記導管内に含まれ、前記電気収着フィルターは、
ａ）ナノ構造化収着材料（sorption  material）、
ｂ）前記収着材料でコーティングされているか又は電気的に接触する一組の電極、
ｃ）前記電極に電荷を与えるとともに前記収着材料に電場強度を生成する電源、
ｄ）浄化された液の品質をモニタリングするためのセンサーユニット及び浄化された液の品質を補正及び調整する制御システム、
を含む、電気収着フィルターと、を含む。
本発明は、患者の血液等の生体液から毒物を除去するためのスタンドアロン装置と、移動中でも継続的に血液浄化を可能にする装着型ユニットの形で本発明の装置を用いて血液から毒物を除去する方法とに関する。本発明は、他の流体、例えば排水、プロセス化学物質、及び尿、透析液、乳、生化学分析及び処理流体から物質を除去することにも適用可能である。浄化された流体の生体適合性を確かなものにするとともに酸化ストレスを防止するために特定の措置が取られている。リバースモードでは、本発明のシステムは、制御された方法で成分を放出するのに使用できる。
【背景技術】
【０００２】
血液透析（ＨＤ）及び腹膜透析（ＰＤ）は、腎臓が血液から毒物（不純物又は老廃物）を十分に除去できない場合に毒物を除去する方法である。透析は、最もしばしば、腎不全の患者のために使用されるが、緊急事態下で薬物又は毒を迅速に除去するためにも使用され得る。この技術は、急性又は慢性の腎不全を持つ人々の命を救うことができる。最も知られているのは血液透析であり、これは体外の透析装置内にある特定のフィルターに沿って血液を循環することで作用する。ここでは、血液は半透膜（透析装置又はフィルター）を横断して流れ、その他方側では透析液が前記血液流と逆の方向に流れる。透析膜は、特定分子量を下回る物質のみを通過させる。拡散により、これらの物質の濃度は、膜の両側で最終的に等しくなる。透析液は、血液から毒素を除去し、一般には廃棄透析液として廃棄される。血液中の化学的アンバランス及び不純物は最小バランスに戻され、その後血液は身体に戻される。血液透析の効率は１０〜１５％であり、これは毒素の１０〜１５％が血液から除去されることを意味する。通常、ほとんどの患者は、毎週３回血液透析を受ける。それぞれの透析は通常３〜４時間かかる。これは非常に不便であり、患者に対する透析の物理的及び社会的効果は大きな関心事になっている。
【０００３】
患者の正常な日常生活を可能にする、持ち運び可能（ポータブル）な透析装置を提供するために、人工腎臓が開発されてきた。基本的に人工腎臓には２つのタイプが存在する。
【０００４】
１つの形態では、人工腎臓の原理は、透析により血液から尿素及びその他のより毒性の中分子を抽出すること及び一般には活性炭である吸着剤による前記透析液の再生を含む。そのような腎臓透析装置に基づくシステムの場合においては、透析液が透析装置にリサイクルされる場合に透析液を再生することに重要な面がある。従来技術における腎臓透析装置は、例えば特許文献１及び特許文献２に記載されている。特許文献１には、活性炭及びアルミナを含む改良された吸着物を有するリサイクルタイプの人工腎臓が開示されている。特許文献２にはポータブル透析装置が開示され、直列に接続された、透析液を用いる透析器を含み、直列接続されるとともに使用済み透析液を再生するための輪郭付けられた複数の収着剤（sorbent）装置をさらに含む。使用済み透析液の再生のための吸着物質として、活性木炭、ウレアーゼ、リン酸ジルコニウム、含水酸化ジルコニウム及び／又は活性炭が設けられている。
【０００５】
他の形態では、人工腎臓の原理は、適切な膜を用いた限外濾過又は血液濾過に基づくものであり、血液細胞を含む大きい分子は前記膜の保持液中に保持され、毒物が限外濾過液中に集められる。血液濾過の間、患者の血液は、機械によって一組のチューブ（濾過回路）を通って半透膜（フィルター）に至り、そこで廃棄物及び水が除去される。交換液が添加され、血液が患者に戻される。透析と類似の方法で、血液濾過は溶質に半透膜を横断移動させることを伴う。しかしながら、血液濾過で使用される膜は、血液透析で使用されるものよりもずっと多孔質であり、透析液は使用されない。その代わりに正の静水圧によって濾過膜全体に亘って水及び溶質が駆動され、そこでそれらは濾過物として流される。得られた濾過血液に等張補液が添加されて液体容積及び貴重な電解質が置き換えられる。それがその後患者に戻される。従って、限外濾過の場合では、尿素と同じく膜に通されるものの、血液の電解質成分を実質的に一定に維持するために再び血液中に含められるべき塩等の限外濾液中の他の成分から尿素を分離することに重要な面がある。
【０００６】
他のアプローチは電気透析に関するものであり、電気泳動システムと同様に透析膜上に電場を印加することにより前記透析プロセスを迅速化する方法である。例えば、特許文献３には、前記膜間に電圧を負荷する透析液システムが提案されている。提案されている電圧は５０〜１５０ボルトの範囲にある。電場は、小分子溶質、リン酸塩、クレアチニン、ベータ２ミクログロブリン及び尿素等の毒素の拡散速度を、ひいては除去速度を促進すると主張されている。しかしながら、主な欠点は高電圧が必要になり、その結果として血液が大幅に加熱される点である。従って、このシステムにはさらなる冷却部分が必要になるため、システムがかさばるものになるとともにエネルギー消費が大きくなる。
【０００７】
他の関連するアプローチは水の浄化から知られるものであり、電気収着と呼ばれる。例えば、特許文献４には、小電圧で作動される炭素電極により水から塩及び金属等の無機イオンを除去する装置が開示されている。このシステムは水及び無機物質には効果的なようである。今までのところ、電気収着により毒性の小分子及び中分子並びにタンパク質等の有機分子や物質を除去することについては開示されていない。
【０００８】
結論として、従来技術には様々な物質が収着剤として使用され得る透析装置及び限外濾過装置の両方が開示されている。透析液拡散プロセスを促進させる外部電場を使用することも開示されている。
【０００９】
しかしながら、従来技術のシステムの問題は、前記材料はその吸着能力が限られているか若しくは効率的でないか又はその両方であるため、小型でデスクトップサイズの又は装着型の血液浄化システムを可能にするには依然として大きすぎることである。
【００１０】
電気的活性化酸化により血液及び組織から毒素を除去することは、既に１９７５年に、例えば特許文献５に記載されている。１９８２年、特に特許文献６において、そのようなプロセスは、電極材料としてＰｔ、ＴｉＯ２と共にＴｉ、ＳｎＯ２又はＲＯ２コーティングを用いる透析液の再生について記載されている。このプロセスは血液浄化においては適用されていないか又は実用されていない、というのはおそらく、このプロセスがクロラミン等の不要な酸化生成物を生成するからであろう。
【００１１】
電気収着装置により毒素を除去することは、２００９年公開の特許文献７に十分記載されている。ここで提案された技術は、血液浄化における重要な前進であると考えられるが、尿素の除去にはなお問題があり、比較的大量の収着剤を必要とする。請求項１の導入部に記載の電気吸着及び分解システムは特許文献８から知られている。この既知のシステムは、収着剤及び電極を含む収着剤ユニットにより電解質の電気収着と、尿素等の有機毒素（organic  toxins）の電極触媒分解とを組み合わせる。このアプローチは検証されて非常に良好な結果が得られている。しかしながら、浄化された液の品質、とりわけ酸化ストレスの防止に関して確かなものとするために、さらなる安全策が必要である。酸化ストレスは、電極触媒分解の間にクロラミン等の不要な副産物が形成されることによって生じ得る。安全で生体適合的な動作のためには酸化ストレスの防止は最も重要である。
【先行技術文献】
【特許文献】
【００１２】
【特許文献１】英国特許第１４０６１３３号明細書
【特許文献２】米国特許出願公開第２００３／００９７０８６号明細書
【特許文献３】国際公開第０３０２０４０３号パンフレット
【特許文献４】米国特許出願公開第２００７／００７２８４３１号明細書
【特許文献５】米国特許第３８７８５６４号明細書
【特許文献６】米国特許第４４７３４４９号明細書
【特許文献７】欧州特許第２０９２９４４号明細書
【特許文献８】国際公開第２０１２／０６０７００号パンフレット
【発明の概要】
【発明が解決しようとする課題】
【００１３】
本発明は、酸化ストレスの潜在的な問題を解消することとともに、血液透析、腹膜透析システムで用いるための、そしてより一般的には装着型人工腎臓、人工肝臓、人工肺等の血液浄化システムで用いるための、酸化ストレスを防止する手段を内蔵したコンパクトで効率的な収着フィルター・分解システムを提供することを目的とする。同様に、かかるシステムは、水の浄化、排水処理及び例えば水槽水の浄化といった他の流体の浄化にも適用可能である。
【課題を解決するための手段】
【００１４】
本発明によれば、この課題は、前記センサーユニットがレドックス状態、前記浄化された液の電極触媒分解速度をモニタリングするためのセンサーユニットであり、前記制御システムは還元剤の注入を制御して前記浄化された液を補正及び調整して酸化ストレスを防止し、前記電極は炭素質材料でできていることを特徴とする装置を提供することにより解消される。
【００１５】
前記毒物は、カリウム、リン酸塩、尿素、尿酸塩、アンモニア、クレアチニン、ベータ２−ミクログロブリン（β２Ｍ）及びアルブミン結合毒素、例えばパラアミノヒプリン酸、ｐ−クレゾール、インドキシル硫酸塩、ＣＭＰＦ及びビルルビンから選択されることが好ましい。前記電気収着フィルターは、特異性及び選択性の高い表面積（high  specific  and  selective  surface  area）を有するナノ構造化収着材料を、外部電源によってもたらされる追加の表面帯電（electric  surface  charging）と一緒に組み合わせる。この組み合わせは、非常に効率的かつ効果的で、それ故に小型の吸着システムを可能とする。フィルターと、尿素、尿酸塩、アンモニア、クレアチニン及びアミン基を有する他の成分の電極触媒分解をもたらす電極との組み合わせによって、これらの毒素を吸収で除去する代わりに気化により除去することができるため、必要な収着剤の量が大幅に軽減される。これは、本装置のサイズを非常に小型化できることとなる。この電極触媒分解プロセスに起因する不要と思われる酸化生成物、例えば部分酸化アミノ酸、ペプチド及びタンパク質に加えて、クロラミン及びクロリン等の電極触媒分解からの不要な残留物が、電気収着フィルターによって効果的に除去される。従って、電気収着フィルター及び電極触媒分解フィルターは、電極触媒分解フィルターが、電気収着フィルター内の収着剤の量の大幅な低減を可能にする一方で、電気収着フィルターは、結果として得られる尿毒症毒素及び不要な副産物を電極触媒分解フィルターから除去するという非常に相乗的なモードで動作する。理想的には、前記電気収着フィルター及び電極触媒分解フィルターを１つの電気収着／分解システムに統合することができ、その場合電気収着フィルターの電極は電極触媒分解材料でできている。そして、電気収着及び電極触媒の分解プロセスが組み合わされる。これによりサイズ及び重量のさらなる軽減が可能となる。かかる組み合わせ設定の他の重要な特徴は、電気触媒分解プロセスに収着材料が連続的に晒される点である。これは、タンパク質等の有機堆積物で収着材料が詰まるのを防止する。
【００１６】
装置の安全で生体適合的な動作を確かなものにするために、クロラミン等の不要な残留物の除去がセンサー（即ちレドックスセンサー）及び制御機構により測定及び制御され、電極触媒分解の強度が調節される。これにより、浄化された液の酸化状態を生体適合的な限度（＜０．１ｍｇ／Ｌクロラミン）内で維持できる。クロラミンが突然破綻した（sudden  breakthrough）場合、酸化クロラミンを中和するために、第２の策が取られ、注入システムを作動させて還元剤、例えばビタミンＣ、ビタミンＥ又はグルタチオンを有する流体を注入する。
【００１７】
サイズが小さく、その結果軽量であることによって、小型のデスクトップサイズのシステムが可能になり、さらには水処理、血液濾過又は血液透析若しくは腹膜透析のための装着型装置を実現できる。
【００１８】
前記電気収着フィルターは、非常に小さいナノサイズの粒子又はポアを有するとともに、大きい比表面積と高い表面化学活性（high  chemical  surface  activity）を提供する吸収材料、吸着材料、イオン交換材料及び／又は表面結晶化材料、例えば活性炭、イオン交換樹脂（例えば、ｐｓ−ｐｖｂ系）、ナノクレイ、ナノ結晶性ヒドロタルサイト、ナノ多孔性シリカ、ナノ多孔性又は層状アルミナ珪酸塩（ゼオライト等）、ナノ多孔性金属酸化物及び金属水酸化物、有機金属フレームワーク、ゼオライトイミダゾレートフレームワーク、ナノサイズ及び／又は活性グラファイト、シクロデキストリン、結晶化種、特定の吸収のために官能基で変性された酸化スターチ等の生体高分子やカルボキシメチルセルロースの様な比表面積が大きく、多孔度が調整可能で、特定の化学的活性が高い高多孔性マトリックス材料又はその組み合わせを含む。
【００１９】
電極触媒分解能力を調整するとともに、緊急時に還元剤又は酸化剤を注入するため注入器を作動させるのにレドックスセンサーが用いられる。この注入器は、薬剤又は物質（例えば重炭酸塩）を注入してｐＨを制御するために適用することもできる。
【００２０】
本発明に係る装置のさらなる実施形態は、前記装置が、患者の血液細胞から患者の血漿を分離するための血漿フィルターさらに含むことを特徴とする。
【００２１】
本発明に係る装置のさらなる実施形態は、前記装置が、患者の血液から血液限外濾過液を分離するための血液フィルターをさらに含み、前記限外濾過液はアルブミン、タンパク質Ｓ及びＣ並びにＬＤＬ−コレステロール等の大（一般に＞５０ｋＤａ）分子、血液細胞及び血小板から分離されることを特徴とする。
【００２２】
この実施形態では、患者からの血液から毒物を除去するための人工腎臓装置を形成するために、前記収着フィルターが血漿又は血液フィルターシステムと組み合わされ、患者の血液細胞から患者の血漿を分離するための血漿フィルター又は患者血液から血液限外濾過液を分離する血液フィルター、患者の血漿から毒素、毒性の小型及び中型分子及びタンパク質結合毒素を除去し、任意でビタミン、ミネラル、抗凝固剤、殺菌剤及びその他の薬物からなる群から選択される少なくとも１つの物質で前記血液を補うための収着フィルターと電極との組み合わせ、及び尿素、尿酸塩、アンモニア及びアミン基を有する他の成分を分解及び気化するための触媒材料でできているか又はコーティングされた電極を含む。
【００２３】
血液濾過の場合、患者の血液から血漿を分離するための血漿フィルター又は患者の血液から血液限外濾過液を分離するための血液フィルターが使用され、続いて、毒性イオン性溶質、毒性の小型及び中型分子及びタンパク質結合毒素を患者の血漿又は限外濾過液から除去するための電気収着及び分解フィルターが使用される。
【００２４】
さらに別の好ましい実施形態では、前記装置は血液透析システム又は腹膜透析システムの一部であり、前記電気収着及び分解フィルターにより透析液をインサイチュで再生するか又は透析液の吸収能力を改善することにより透析液の量及び透析システムの寸法を最小限に抑えて透析システムを装着可能なものにすることができる。
【００２５】
さらに他の好ましい実施形態では、前記透析システムは装着型透析システムである。
【００２６】
さらに好ましい実施形態では、前記血漿フィルター又は血液フィルターは、患者の血液細胞を回収するためのさらなる出口を少なくとも含む。
【００２７】
前記装置をリバースモードで操作することによっても前記収着材料を再生することができ、電極上での逆電圧が結合した毒素の反発をもたらす。
【００２８】
収着剤の再生は、逆イオン交換（reversed  ion-exchange）及びその結果としての毒素の放出を促進する再生液で収着剤をフラッシングすることによっても実現できる。かかる再生液は、ＮａＣｌ溶液（一般的な濃度は１〜１０重量％）又は他のナトリウム塩等の特定の塩有する水溶液で構成され得る。再生液は、カルシウム、マグネシウム、鉄からの他の塩（好ましくは塩化物）又は、ビタミン、ＥＰＯ及び薬物等の他の成分も含み得る。これにより前記収着剤を再生することができるだけでなく、収着剤に成分を予め充填することもできる。そして、これらの成分は通常の使用の場合に血液システム内に放出され得る。この予め充填することは、前記収着剤による特定の成分の望ましくない取り込みを中和するためにも有用である。
【００２９】
逆電極モードでの動作と再生液との組み合わせによっても収着剤の再生を促進できる。
【００３０】
電極触媒分解のための電極上での電圧の反転は、液からの成分の電着に起因する不活性化を避けるために必要である。電圧反転の頻度はあまり重要ではなく、１秒毎に切り替えを行うことから０．１〜２０時間毎に切り替えを行うことまで様々であり得る。
【００３１】
好ましくは外部電源の電圧は、前記センサーシステム、とりわけレドックスセンサーの測定値に応じて電気的に調節される。
【図面の簡単な説明】
【００３２】
【図１】図１は、血液透析用途のための流体システムの概略配置を示す。患者の血液は、血液フィルター及び透析液回路を用いた透析処置を通じて浄化されている。回路内の透析液は、電気収着及び電極触媒分解のための電極及び収着剤を備える収着剤ユニットによって連続的に浄化されている。収着剤ユニットの大きさは１００〜１０００ｍｌの範囲、通常約２００ｍｌである。透析液の量は５０〜５００ｍｌの範囲、一般には１００ｍｌである。透析液及び収着剤ユニットの重さは合わせて１５０〜１５００グラムの範囲、一般には３００グラムである。収着剤ユニットが毒素でいっぱいになった後、毒素を除去するために食塩水又は他のナトリウム塩溶液で洗い流すことによって収着剤ユニットを再生させることができる。その頻度は患者の大きさや収着剤ユニットの大きさによるが、一般には一日に１〜４回である。透析液の品質を確かなものにするためにセンサー及び制御システムが設けられている。酸化ストレスから患者を守るために、透析液のレドックス状態が絶え間なく測定され、それに基づき電化分解の強度が調整される。第２の安全策として、ビタミンＣ等の還元剤を有する注入システムを緊急時に作動させることができる。この注入システムは、患者の酸血症（acidose）を直すために薬剤又は重炭酸塩等の化合物を注入するのに用いることもできる。
【図２】図２は、本発明に基づく装着型血液透析装置のプロトタイプ版を示し、血液フィルター、血液ポンプ、透析液ポンプ、透析液の品質（温度、液圧、伝導度、ｐＨ及びレドックス）をモニタリングするための様々なセンサー、電気収着及び電極触媒分解の収着剤ユニット及び脱気装置を含む。
【図３】図３は、本発明のプロトタイプを用いて得られた実験結果であり、毒素の除去に関する一般的な性能を示す。
【図４】図４は、本発明のプロトタイプを用いて得られた実験結果であり、毒素の除去に関する一般的な性能を示す。
【図５】図５は、本発明のプロトタイプを用いて得られた実験結果であり、毒素の除去に関する一般的な性能を示す。
【図６】図６は、本発明のプロトタイプを用いて得られた実験結果であり、毒素の除去に関する一般的な性能を示す。
【図７】図７は、浄化された流体の酸化還元電位を測定するのに用いることが可能な電量レドックス状態センサーの典型例を示す。
【図８】図８は、電極触媒分解に起因する副産物としてのクロラミンの存在に際するセンサーの反応を示す。生体適合性について大事を取るために、クロラミンのレベルを０．１ｍｇ／Ｌ未満（２０ｍＶより小さいレドックス値に対応）に維持しなければならない。
【図９】図９は、突発的発生の場合にクロラミンの存在を中和するのに必要なビタミンＣの量を示す。抗酸化ビタミンＣはクロラミンと反応（還元）して無害な塩化物イオン及びアミンを形成する。
【図１０】図１０は、ＭＤＭテスト（脂質酸化）で測定した、酸化ストレスの防止に関する実験結果を示す。
【図１１】図１１は、ＡＯＰＰテスト（タンパク質酸化）で測定した、酸化ストレスの防止に関する実験結果を示す。
【発明を実施するための形態】
【００３３】
本願で使用する「収着（sorption）」という用語は、吸着及び吸収の両方を意味する。吸着は、気体若しくは液体又は溶質（吸着質と呼ばれる）が固体又はまれに液体（収着剤）の表面に蓄積することにより分子又は原子膜（吸着質）を形成する際に生じるプロセスである。吸着は、ある物質が液体又は固体内に拡散して「溶液」を形成する吸収とは異なるものである。収着という用語は双方のプロセスを包含するのに対して、脱着（desorption）は逆のプロセスである。
【００３４】
本願で使用する「小型分子（small-sized  molecules）」という用語は、尿酸、尿素、グアニジン、ＡＤＭＡ、クレアチニン等の分子量が５００Ｄａ未満の分子を意味する。
【００３５】
本願で使用する「中型分子（middle-sized  molecules）」という用語は、ペプチドや脂質からの最終生成物、アミン、アミノ酸、タンパク質結合化合物、サイトカイン、レプチン、ミクログロブリン及び一部のホルモン等の分子量が５００Ｄａ〜５０００Ｄａの分子を意味する。
【００３６】
「ナノ多孔質材料」という用語は、本質的に約ナノメートルの範囲の、即ち１×１０−７〜０．２×１０−９ｍのポア（細孔）を持つ物質を意味し、ＩＵＰＡＣによって定められた、細孔径が０．２〜２ｎｍのミクロポーラス材料（ゼオライト等）、細孔径が２〜５０ｎｍのメソポーラス材料及び細孔径が５０〜１０００ｎｍのマクロポーラス材料という３つのカテゴリーへの言及を含む。
【００３７】
本願で使用する「イオン性溶質」という用語は、リン酸塩、硫酸塩、炭素水和物、塩化物、アンモニア、カリウム、カルシウム、ナトリウム等の成分を意味する。
【００３８】
本願で使用する「ナノサイズ」とは、約１〜１０００ｎｍ、より好ましくは１〜１００ｎｍのサイズを意味する。
【００３９】
「電気収着（electrosorption）」という用語は、溶液中のイオン性溶質及び荷電分子が、電源により与えられる収着剤上の追加の表面電荷の助けによって収着剤の表面に吸着されるプロセスを意味する。
【００４０】
「電気収着フィルター」という用語は、収着剤であって、該収着剤に接続された電極を通じ外部電源を用いて充電又は放電可能な収着剤を含むフィルターシステムを意味する。
【００４１】
本願で使用する「触媒」という用語は、他の物質と接触している場合に特異的な分子間相互作用によって特定の化学反応が促進されるプロセスを意味する。
【００４２】
本願で使用する「電極触媒（electrocatalytic）」という用語は、電気的活性化により開始される触媒化学反応を意味する。
【００４３】
本願で使用する「分解」という用語は、ある成分がその成分のより小さな構成要素に分解される化学反応を意味する。
【００４４】
本願で使用する「気化（gasification）」という用語は、成分が気化されてシステムから放出される化学反応を意味する。
【００４５】
本願で使用する「電極触媒分解」という用語は、化学成分が電極触媒酸化によってその化学成分のより小さな化学種に、好ましくはガス種に分解されるプロセスを意味する。
【００４６】
本願で使用する「電極触媒分解フィルター」という用語は、電極触媒活性化による毒素の分解と、その後の気化とにより毒素を除去する電極を含むフィルターシステムを意味する。
【００４７】
本願で使用する「電気収着−分解フィルター」という用語は、電気収着フィルターと電極触媒分解フィルターとを組み合わせたフィルターシステムを意味する。
【００４８】
電気収着及び分解フィルターパッケージを持つ浄化装置
本発明の装置は電気収着及び分解フィルターパッケージの形を取り得る。電気収着及び分解フィルターパッケージは血液透析又は腹膜透析システムの透析液システム内に配置され、透析液から毒素を除去することを可能にする。前記電気収着及び分解フィルターは、連続的に透析液を浄化し、透析液中の毒素濃度を低く維持し、その結果、血液透析及び腹膜透析の効率が、通常は１００％改善し、必要な透析液の消費を劇的に低減、理想的には０．１〜１リットルに低減する。収着フィルターの追加の及び任意の機能は、カルシウム、ビタミンＡ、Ｃ及びＢ１２、抗凝固剤、抗菌剤、ミネラル、特定の薬物といった血液を補完するための成分を放出することである。この選択肢は、既存の血液透析システム及び腹膜透析システムの操作を簡略化し、腹膜透析システムにおける感染発生の可能性を低減させる。成分、補助剤又は薬剤の注入も、レドックス状態制御システムの一部である注入器システムにより実現できる。
【００４９】
本発明の装置は装着型腹膜透析システムの形態を取ることができる。前記電気収着及び分解フィルターパッケージは装着型腹膜透析システム内に配置される。電気収着及び分解フィルターの連続濾過により、透析液の量を通常１〜２リットルに減らすことができる。前記装着型腹膜透析装置は、腹腔への管状アクセスシステムを含むとともに、流体ポンプ、電源、センサー、電子制御装置、前記電気収着及び分解フィルターパッケージを通常毎日設置及び交換するための設備及び過剰水を廃棄するためのシステムを含むユニットを含む。患者から流体を抽出するための浸透圧を維持するために、レドックス制御ユニットの注入器システムを用いて腹水にグルコースを絶え間なく注入することができる。これは、必要となる全体的なグルコース濃度を低下させ、ひいては患者の腹膜の状態及び寿命を好ましいものにし得る（enfavour）。
【００５０】
本発明の装置は装着型血液透析システムの形態を取ることができる。前記電気収着及び分解フィルターシステムが装着型血液透析システム内に配置される。前記電気収着及び分解フィルターの連続濾過のおかげで、透析液の量を通常５０〜５００ｍｌに減らすことができる。装着型血液透析装置は、血管アクセスチューブシステムを含むとともに、小型血液フィルターシステム、流体ポンプ、電源、センサー、電子制御装置、前記電気収着及び分解フィルターパッケージを通常毎日〜毎週設置及び交換するための設備及び過剰水を廃棄するためのシステムを含むユニットを含む。前記装置の追加の及び任意の機能は、カルシウム、ビタミンＡ、抗凝固剤、抗菌剤、ミネラル、特定の薬物といった血液を補完するための成分を放出することである。この選択肢は、血液透析システムの操作を簡略化し、感染症発生の可能性を低減させる。
【００５１】
本発明の装置は、電気収着及び分解濾過と組み合わせた血漿濾過又は血液限外濾過に基づく装着型又はデスクトップサイズの人工腎臓の形を取ることができる。そのような実施形態では、特定の血漿フィルターによって血漿濾過ステップが行われるか又は血漿又は限外濾過液から血液を分離する細孔径が比較的大きな特別な血液フィルターを用いて限外濾過液が抽出され、浄化のために毒性溶質、小型／中型分子及びタンパク質結合毒素を前記血漿又は限外濾過液と共に前記電気収着−分解フィルターパッケージを有する区画に通すことができる。細孔径がより小さい追加の血液フィルターを用いて、過剰水を血漿又は限外濾過液から除去してアルブミンの減少を防止することができる。浄化された血漿又は限外濾過液はその後血流に再び戻される。そのような実施形態では、前記装置は、必要なチューブ系、血管アクセス及びフィードバックシステム、ポンプ系、電子回路、センサー、電源パック及びその他の必要品をさらに含むことが分かる。しかしならが、これらは本発明にとって必須ではない。人工腎臓装置の利点は透析液を必要としないことである。この装置の好ましい実施形態では、血漿、限外濾過液又は血液フィルター及び電気収着及び分解フィルターが統合されてフィルターパッケージを形成し、前記フィルターパッケージは、血液フィルター材料でつくられ、フィルター材料及び電極を取り囲む容器（envelope）を含む。
【００５２】
そのような装置の血液透析治療のための流体スキームを図１に示す。患者からの血液は、血液ライン１１を通じて流速１００〜２００ｍｌ／分（通常１２５ｍｌ／分）で血液フィルターに供給される。毒素は透析膜１３（例えば、高フラックスフィルター）によって透析液回路に移される。透析液回路１５では、電気収着及び電極触媒分解によって毒素から透析液が浄化される収着剤ユニット１７を透析液が通る。
【００５３】
ここで、尿素、尿酸塩、アンモニア、クレアチニン及びアミン基を持つ他の毒素が分解され、脱気される。各電極対上の電圧は２０Ｖに達し得るが、加水分解を制限するために、前記電圧差を低く、通常４Ｖ未満に維持すべきである。小溶質であるカリウムやリン酸塩に加えてベータ２ミクログロブリン等の毒性中分子や、ｐ−クレゾール、インドキシル硫酸塩及び馬尿酸（hyppuric  acid）等のタンパク質結合毒素といった他の毒素は、電気収着区画で吸着される。
【００５４】
本願のナノ構造化収着材料は、多量の、重量ベースで一般に１０〜５０％の範囲の毒素を結合するために非常に大きい表面積及び化学的活性を提供する。この浄化モードは、前記収着材料が毒素で飽和状態になるまで動作可能である。これは使用される収着剤の量に左右される。代表的な実施形態は、１００〜５００グラム（通常約１５０〜２００グラム）の収着剤を含むため、連続浄化モードが６〜２４時間持続する。この装置は、再生液と組み合わせて外部電圧を反対符号に切り替えることでリバースモードに設定できる。逆電圧により、吸着機能は反発機能に変化し、毒素が解放（unbind）されて収着剤の表面から離れる。これにより、収着剤が洗浄及び再生される。前記区画内の放出された毒素は再生液を廃棄することで除去される。
【００５５】
透析液の品質は制御ユニット１９によってモニタリングされている。この制御ユニットは一般に温度、伝導度（conductivity）、ｐＨ及びレドックス状態用のセンサー２１を備える。システムが酸化ストレスを生成するのを防止するためにレドックスセンサー２１が用いられる。測定の際に、電極触媒分解が調節され、必要に応じて注入器システム２３が還元剤又は酸化剤を注入するために作動される。
【００５６】
過剰輸液（fluidic  overload）を防止するために、患者から限外濾過液を取り除く別のラインを通じて患者から過剰体液を回収できる。これは連続的に（排液として、一般に流速１ｍｌ／分で）又は非連続的に一日数回（例えば、２０分の間２０ｍｌ／分で）行うことができる。
【００５７】
廃棄される限外濾過液の量は通常一日当たり１〜２Ｌであり、これは人によって放出される過剰体液の通常の量である。血液回路１１は温度センサー２５、血液ポンプ２７及び温度圧力気泡検出器２９をさらに含む。透析液回路は２つのバルブ３１、３２、透析液ポンプ３３及び脱気装置３５をさらに含む。
【００５８】
図２に、実験検証のために用いられるプロトタイプ版の写真を示す。これは血液から透析液に毒素を交換するとともに限外濾過液を抽出するために血液フィルター４１を含む。電気収着及び分解ユニット４３は透析液から毒素を連続的に除去する。ポンプユニット４５、４７、脱気ユニット５５、センサー４９〜５３及び流体バルブ等の他の構成要素並びに注入器５７を写真２に示す。
【００５９】
本発明の装置の血液フィルターは市販の血液フィルター（例えば、ガンブロ社（ドイツ、ヘッヒンゲン）又はメンブラナ社（ドイツ、ヴッパータール）製造のもの）であることが好ましい。
【００６０】
代替的な実施形態では、本発明の装置の電気収着及び分解フィルターは、血漿フィルター又は血液フィルターを出る患者の血漿又は限外濾過液を受ける入口５９及び浄化された血漿又は限外濾過液を回収するための少なくとも１つの出口６１、６３を含む。
【００６１】
任意の実施形態で、本発明の装置は、ビタミンＡ、Ｃ、Ｅ及びＢ１２等のビタミン、カルシウム、ナトリウム及びカリウム等のミネラル、抗凝固剤、患者の酸血症を回復させる重炭酸塩、殺菌剤及び他の薬物からなる群から選択される少なくとも１つの物質で（浄化された）血漿又は透析液を補うための手段をさらに含む。
【００６２】
任意で、前記装置又はフィルターパッドはイオン交換システムを含み得る。
【００６３】
別の態様では、本発明は、血液から毒物を除去するための方法であって、本発明に係る装置を用いることを含む方法を提供する。
【００６４】
別の態様では、本発明は、血液透析又は腹膜透析液から毒物を除去するための方法であって、本発明に係る装置を用いることを含む方法を提供する。
【００６５】
別の態様では、本発明は、水等の他の流体から物質を除去するための、例えば飲料水を製造するための又は水槽水を浄化するための及び工業プロセスで使用される化学物質を浄化するための並びに尿、乳、生体分析液等の他の生体液から物質を除去するための方法であって、本発明に係る装置を使用することを含む方法を提供する。
【００６６】
本発明の装置の電気収着及び分解フィルターは、一組の内蔵型電極と、収着剤を備える交換可能なフィルターパッドとを含む剛性又は可撓性の容器で構成されるフィルターカートリッジの形を取り得る。
【００６７】
別の態様では、本発明は、電池又は整流器等の電源に接続された内蔵型（built-in）電極を有し、これらの電極と接触する電気収着及び分解フィルターカートリッジを保持するとともに、血漿、限外濾過液又は透析液からイオン性溶質並びに小型分子及び中型分子を抽出するために、収着材料を有する収着フィルターパッドと、血漿分離器又は血液フィルターとを含む装置の形態を取り得る。
【００６８】
従って、好ましい実施形態では、患者からの血液から毒物を除去するための装置は血液フィルター及び電気収着フィルターを含み、前記電気収着フィルターが血液から毒性溶質、小型分子及び中型分子を除去するとともに、選択的収着、制御放出及び殺菌制御といった機能を含む。
【００６９】
最も好ましい実施形態では、血漿フィルター又は血液フィルターと電気収着フィルターとは別個の部品である。例えば、血漿フィルター又は血液フィルターは既存の市販の血漿フィルター又は（高フラックス）血液フィルターで構成され、電気収着フィルターは内蔵型電極を有するカートリッジで構成され得る。このカートリッジにおいても収着材料が含まれる。収着材料を多孔質容器内で保持してフィルターパッドを形成することができる。
【００７０】
本発明の装置は、（進行中の）腎不全患者の血液を濾過又は浄化するために用いることができる。好ましい実施形態では、前記装置は、装着型人工腎臓装置の形を取り得るが、デスクトップサイズの機器で又は適合された血液透析又は腹膜透析機器でも実施可能である。
【００７１】
前記人工腎臓は、適切に機能する人間又は動物の腎臓によって通常行われる機能の一部、とりわけ血液の濾過及び血液中の物質の量の調節及び制御を行うことができる。
【００７２】
レドックス制御及びクロラミンの防止
クロラミンは電極触媒分解に起因する副産物として生成される。尿素及び有機毒素に隣接して塩化物イオンも存在する溶液においては、電極触媒分解が塩化物イオンにも作用するため、下記の反応に従って塩素（Ｃｌ２）及び次亜塩素酸塩（ＨＯＣＬ）の形成並びに酸化をもたらす。
２Ｃｌ-＞Ｃｌ２＋２ｅ
Ｃｌ２＋Ｈ２Ｏ＞ＨＯＣｌ＋ＨＣ１
【００７３】
次亜塩素酸塩は次いでアンモニア又はアミンと反応してクロラミン、主にモノクロラミンＮＨ２Ｃｌを形成し得る。
ＮＨ３＋ＨＯＣｌ→ＮＨ２Ｃｌ＋Ｈ２Ｏ
【００７４】
クロラミンは酸化ストレスをもたらし、酸化ストレスは例えば赤血球を害し、それにより溶血がもたらされ得る。これを常に防止しなければならない。クロラミンの安全限度は最大で０．１ｍｇ／Ｌ（ＡＮＳＩ／ＡＡＭＩ  ＲＤ５規格）に設定される。
【００７５】
クロラミンを防止する１つの方法は、それ自体がクロラミンの吸収又は除去が可能な収着剤ユニット内に収着剤材料が十分に存在するようにすることである。この点について、活性炭素はクロラミンを閉じ込めて、触媒還元によりクロラミンを分解することができるため、とりわけ非常に有用である。これは、水浄化の分野で良く知られている。装着型血液透析装置の場合、全てのクロラミン残留物を除去するのに５０〜１００グラムのカーボントラップ（carbon  trap）で十分であることが分かった。ナノチューブやグラフェン等の炭素質類の他の種類の炭素も同様の又はより優れた能力を示し得る。
【００７６】
この点について、電極触媒電極の選択及びサイズも重要となる。炭素やグラファイト等の炭素質類の材料は、Ｐｔ等の金属電極よりも生成するクロラミンが少ない傾向にあることが分かった。しかしながら、Ｐｔに比べて、尿素及び関連する毒素の触媒分解の効率も悪い。これはひいてはシステムの全体的デザインに影響を与える。
【００７７】
システムが酸化ストレスを生成するのを防止するために、３つのレベルの安全アプローチが取られる。
【００７８】
（１）電極触媒分解システムの能力及び関連するクロラミンの生成に応じて、形成されたクロラミンを捕捉及び分解するのに十分な能力のカーボントラップを設計する。安全性の点から、このカーボントラップを必要以上に高機能に（overdesigned）、例えば２倍高機能に設計すべきである。
【００７９】
（２）経時的なカーボントラップの効率を制御するために、レドックスセンサーでレドックス状態を連続的にモニタリングする。レドックス状態はクロラミンのレベルのための評価基準である。レドックス状態が高まって限界値に達し易い場合は電極触媒分解の強度が下げられる。これはレドックス状態を低下させる。レドックス状態センサーは流体の酸化還元電位（ＯＲＰ）を測定する。そのようなセンサーは市販のＯＲＰセンサー（通常Ｐｔ電極、Ａｇ／ＡｇＣｌ基準電極及び塩橋（salt-bridge）を含む。例えば、Ｍｅｔｔｌｅｒ  Ｔｏｌｅｄｏ又はＶｅｒｎｉｅｒ参照）又は図３に図示のフロースルー電量センサーであり得る。図１では、基準電極、作用極及び対極として３つのＰｔワイヤが用いられているが、Ａｕ、Ａｇ又はＡｇ／ＡｇＣｌ等の他の材料を用いることもできる。図４では、クロラミンの存在（酸化剤）に際するそのようなセンサーの反応を示す。
【００８０】
（３）レドックス状態が突如予期せずに上昇した場合（例えば、クロラミンの破綻（break  through）により）、ビタミンＣ（アスコルビン酸）又は同様の抗酸化剤等の還元剤を注入するために注入器が作動される。抗酸化剤はクロラミンをアンモニア及び塩化物イオンに還元する。
Ｃ５Ｈ５Ｏ５ＣＨ２ＯＨ＋ＮＨ２Ｃｌ＞Ｃ５Ｈ３Ｏ５ＣＨ２ＯＨ＋ＮＨ３＋ＨＣｌ
【００８１】
実験結果
実施例１：血液透析の性能
図２に図示のプロトタイプを作成した。このセットアップは、透析治療のために１２０ｍｌ／分で高フラックスフィルターを通過する１．５Ｌの動物血液を用いた動的試験で検証された。透析液回路は１００ｍｌの透析液を含んでいた。電気収着及び分解ユニットには、１１０ｇのイオン交換樹脂（ｐｓ-ｐｖｂ）、５０ｇのナノ構造ＦｅＯＯＨ収着剤及び５０ｇの活性炭素が充填されていた。尿素及び関連する毒素を分解するために電極対当たり３．６Ｖでグラファイト電極を用いた。前電極表面積は、５８５ｃｍ２であった。透析液の流速は４５ｍｌ／分に設定された。動物血液中の濃度を１時間毎に測定した。代表的な（representative）毒素のレベルを維持するために、１時間毎に新たな毒素（尿素１０ｍｍｏｌ、カリウム１．５ｍｍｏｌ、リン酸塩０．７５ｍｍｏｌ、クレアチニン０．５ｍｍｏｌ）を血液に混入した。濃度プロファイルを図３〜図６に示す。
【００８２】
図３は、１６０ｇの収着剤及び５８５ｃｍ２の電極を有する透析設定の収着剤ユニット（Ｇａｍｂｒｏ  ２Ｈフィルター）を用いて１．５Ｌの動物血液（牛）から尿素を除去した場合の図を示す。１時間毎に１０ｍｍｏｌの尿素を血液に混入した。６時間で除去された尿素の合計は６０ｍｍｏｌであった。
【００８３】
図４は、１６０ｇの収着剤及び５８５ｃｍ２の電極を有する透析設定（dialysis  setup）の収着剤ユニット（Ｇａｍｂｒｏ  ２Ｈフィルター）を用いて１．５Ｌの動物血液（牛）からクレアチニンを除去した場合の図を示す。１時間毎に０．５ｍｍｏｌのクレアチニンを血液に混入した。６時間で除去されたクレアチニンの合計は３．７ｍｍｏｌであった。
【００８４】
図５は、１６０ｇの収着剤及び５８５ｃｍ２の電極を有する透析設定の収着剤ユニット（Ｇａｍｂｒｏ  ２Ｈフィルター）を用いて１．５Ｌの動物血液（牛）からカリウムを除去した場合の図を示す。１時間毎に１．５ｍｍｏｌのカリウムを血液に混入した。６時間で除去されたカリウムの合計は９ｍｍｏｌであった。
【００８５】
図６は、１６０ｇの収着剤及び５８５ｃｍ２の電極を有する透析設定の収着剤ユニット（Ｇａｍｂｒｏ  ２Ｈフィルター）を用いて１．５Ｌの動物血液（牛）からリン酸塩を除去した場合の図を示す。１時間毎に０．７５ｍｍｏｌのリン酸塩を血液に混入した。６時間で除去されたカリウムの合計は５ｍｍｏｌであった。
【００８６】
全体的な結果を下記表に示す。
【００８７】
【表１】
0006499645.tif 000002
【００８８】
図７は、電量フロースルーレドックス状態センサーの一例を示す。センサーは、基準電極、分子が酸化されるか又は還元される作用極及び酸化されたか又は還元された分子の量を測定するための対極という３つの電極を含む。この設定では、これらの電極はＰｔワイヤであるが、他の形状及び金属（Ａｕ、Ａｇ、ＡｇＣｌ等）も可能である。
【００８９】
図８は、電極触媒電位に対するクロラミン及びレドックス状態の図を示す。第１の安全策として、レドックス状態センサーと、電極触媒分解を調節する制御システムとによりクロラミンレベルを０．１ｍｇ／Ｌ未満に制御する。クロラミンの閾値は０．１ｍｇ／Ｌ（ＡＮＳＩ／ＡＡＭＩ  ＲＤ５：２００３）である。この例（実験１参照）では、電極触媒分解の電圧を４．１Ｖ未満に維持すべきことを意味する。
【００９０】
図９はビタミンＣでクロラミンを中和する場合の図を示す。第２の安全策として、電圧制御機構がクロラミンレベルを０．１ｍｇ／Ｌ未満に維持できなかった場合にビタミンＣ（又はアスコルビン酸ナトリウム、ビタミンＥ、グルタチオン等の同様の抗酸化剤）の注入が開始される。この図は、クロラミンの存在を完全に中和するのに必要なビタミンＣの量を示す。
【００９１】
実施例２：酸化ストレスの防止
実施例１で説明したプロトタイプを用いて酸化ストレスの防止の実証も行った。２つの酸化ストレステストを行った。
【００９２】
（１）ＭＤＡテスト：脂質過酸化反応（lipid  peroxidation）は、動物や植物における明確に定義された細胞損傷メカニズムである。過酸化脂質は、分解されて、脂質過酸化反応の自然な副産物であるマロンジアルデヒド（ＭＤＡ）や４−ヒドロキシノネナール（４ＨＮＥ）等のより複雑で反応性の高い化合物を形成する細胞における酸化ストレスの不安定な指標である。脂質の酸化変性は、広範な酸化促進剤によって体外で誘発することができ、老化の間や特定の病状の場合に体内で生じる。脂質過酸化反応の最終生成物を測定することは、酸化損傷のための最も広く認められている分析である。これらの脂質過酸化反応のアルデヒド副産物は酸化ストレスの一般的に認められているマーカーである。
【００９３】
（２）ＡＯＰＰテスト：タンパク質過酸化物（advanced  oxidation  protein  products）（ＡＯＰＰ）は、クロラミンや次亜塩素酸等の塩素化酸化剤と血漿タンパク質との反応を通じて酸化ストレスの間に生成される尿毒素である。ＡＯＰＰは終末糖化産物（ＡＧＥ）タンパク質と構造的に類似しており、同様の生物活性を呈する。ＡＯＰＰは、腎臓合併症、アーテローム性動脈硬化、糖尿病、全身性硬化症の患者に加えてＨＩＶ陽性患者において増加する。生体内で生成されたＨＯＣｌ及びＡＯＰＰで処理されたヒト血清アルブミン（ＨＳＡ）は好中球及び単球の双方で酸化反応を引き起こし、炎症の真のメディエーターとして双方を用いることができることを示す。
【００９４】
これらのテストの結果を図１０（ＭＤＡテスト）及び図１１（ＡＯＰＰテスト）に示す。
【００９５】
図１０は、実験１で説明した条件でＭＤＡテスト（脂質酸化、マロンジアルデヒド付加物の形成）に従って酸化ストレスが測定される、酸化ストレスに対する電極触媒分解の効果の図を示す。電極触媒分解は酸化ストレスを生じない。酸化ストレスを下げる傾向まである（恐らく透析液回路内に炭素が存在することに起因して）。
【００９６】
図１１は、実験１で説明した条件でＡＯＰＰテスト（タンパク質過酸化物の形成）に従って酸化ストレスが測定される、酸化ストレスに対する電極触媒分解の効果の図を示す。電極触媒分解は酸化ストレスを生じない。
【００９７】
これらの図から分かるように、酸化ストレスを防止するためにとられた施策（カーボントラップ及び電極触媒分解の電圧制御）は有効だったようである。電触媒酸化に起因する酸化ストレスは検出できなかった。
【図１】
0006499645.tif 000003
【図２】
0006499645.tif 000004
【図３】
0006499645.tif 000005
【図４】
0006499645.tif 000006
【図５】
0006499645.tif 000007
【図６】
0006499645.tif 000008
【図７】
0006499645.tif 000009
【図８】
0006499645.tif 000010
【図９】
0006499645.tif 000011
【図１０】
0006499645.tif 000012
【図１１】
0006499645.tif 000013